(57)【要約】【課題】本発明は、経時的な変化が少なく、透水性にすぐれ、人工芝の敷設に適した表層土の改良方法を提供する。【解決手段】本発明に係る表層土１２の改良方法は、既存の表層土を略平坦に均す表層土均しステップ、前記既存の表層土の上にアスファルト系乳剤を散布してコート層２０を形成するコート層形成ステップ、前記コート層形成ステップの後、前記コート層が完全に硬化する前に、前記コート層の砕石３２を散布して上部から前記砕石に圧力を加える砕石埋設ステップであって、前記砕石の少なくとも一部を前記コート層に押し沈めることにより、前記コート層に埋設した前記砕石により、前記砕石の周囲に前記コート層を貫通する通水路が形成され、  前記砕石が押し沈められたコート層の上に砂を散布し、前記砂の表面に圧力を加えて均す砂均しステップ、を含んでいる。【選択図】  図４
2019027055.tif 000002
【特許請求の範囲】
【請求項１】
表層土の改良方法であって、
既存の表層土を略平坦に均す表層土均しステップ、
前記既存の表層土の上にアスファルト系乳剤を散布してコート層を形成するコート層形成ステップ、
前記コート層形成ステップの後、前記コート層が完全に硬化する前に、前記コート層の砕石を散布して上部から前記砕石に圧力を加える砕石埋設ステップであって、前記砕石の少なくとも一部を前記コート層に押し沈めることにより、前記コート層に埋設した前記砕石により、前記砕石の周囲に前記コート層を貫通する通水路が形成され、
前記砕石が押し沈められたコート層の上に砂を散布し、前記砂の表面に圧力を加えて均す砂均しステップ
表層土の改良方法。
【請求項２】
前記砂均しステップの後、前記砂の表面に人工芝を敷設する人工芝敷設ステップをさらに含んでいる、
請求項１に記載の表層土の改良方法。
【請求項３】
前記表層土均しステップの後、盛り土及び／又は透水ろ過層を形成するステップを含んでいる、
請求項１又は請求項２に記載の表層土の改良方法。
【発明の詳細な説明】
【技術分野】
【０００１】
本発明は、グラウンドやコート、公園などにおいて、表層土を改良する方法に関するものであり、より具体的には、透水性にすぐれ、人工芝の敷設に適した表層土への改良方法に関するものである。
【背景技術】
【０００２】
グラウンドに人工芝を敷設する方法として、下層路盤の上に粒度の小さいバラの骨材を投入し、エチレン−酢酸ビニル共重合樹脂からなるエマルジョン状態の固結剤を散布して骨材どうしを一体化させ、その上に人工芝を敷設する方法が提案されている(例えば、特許文献１参照)。この固結剤は、経時崩壊によって骨材をばらけさせることで、敷設された人工芝に適度なクッション性を付与するようにしている。
【先行技術文献】
【特許文献】
【０００３】
【特許文献１】特開２００３−１０５７１０号
【発明の概要】
【発明が解決しようとする課題】
【０００４】
しかしながら、ばらけた骨材は、人工芝面での激しい運動によって変形を生じ易く、人工芝に凹凸を生じさせると共に、保守に手間が掛かる問題があった。
【０００５】
本発明の目的は、経時的な変化が少なく、透水性にすぐれ、人工芝の敷設に適した表層土の改良方法を提供することである。
【課題を解決するための手段】
【０００６】
本発明に係る表層土の改良方法は、
既存の表層土を略平坦に均す表層土均しステップ、
前記既存の表層土の上にアスファルト系乳剤を散布してコート層を形成するコート層形成ステップ、
前記コート層形成ステップの後、前記コート層が完全に硬化する前に、前記コート層の砕石を散布して上部から前記砕石に圧力を加える砕石埋設ステップであって、前記砕石の少なくとも一部を前記コート層に押し沈めることにより、前記コート層に埋設した前記砕石により、前記砕石の周囲に前記コート層を貫通する通水路が形成され、
前記砕石が押し沈められたコート層の上に砂を散布し、前記砂の表面に圧力を加えて均す砂均しステップ、
を含んでいる。
【０００７】
前記砂均しステップの後、前記砂の表面に人工芝を敷設する人工芝敷設ステップをさらに含むことができる。
【０００８】
前記表層土均しステップの後、盛り土及び／又は透水ろ過層を形成するステップを含むこともできる。
【発明の効果】
【０００９】
本発明に係る表層土の改良方法によれば、略平坦とした既存の表層土の上にアスファルト系乳剤からなるコート層を形成している。コート層は、非透水性、或いは、透水性が極めて低いが、完全に硬化する前に砕石を散布して、砕石をコート層に押し沈めることにより、コート層には、押し沈められた砕石の周囲に隙間ができる。この隙間がコート層を貫通し、或いは、複数の隙間が繋がってコート層を貫通することで、コート層に通水路が形成され、透水性を可及的に高めることができる。
【００１０】
そして、砕石が押し沈められたコート層の上に砂を散布して、均すことで、透水性にすぐれた平坦な地盤を提供できる。必要に応じて、その上に人工芝を敷設することもできる。
【００１１】
本発明により改良された表層土は、強度にすぐれ、従来のように骨材がばらけて平坦度を失うこともないから、透水性にすぐれるだけでなく、耐久性にもすぐれる。
【図面の簡単な説明】
【００１２】
【図１】図１は、本発明の表層土の改良方法により改良された地盤の断面図である。
【図２】図２は、本発明の表層土の改良方法の一実施形態を示す説明図である。
【図３】図３は、コート層に砕石を散布し、圧力を加えた状態を示す拡大図である。
【図４】図４は、図１のコート層を含む拡大図である。
【発明を実施するための形態】
【００１３】
以下、本発明の表層土の改良方法について、図面を参照しながら説明を行なう。
【００１４】
図１は、本発明の表層土の改良方法により改良された地盤１０の断面図である。また、図２は、本発明の表層土の改良方法の一実施形態を示す説明図である。
【００１５】
図１に示すように、本発明により改良された地盤１０は、下層側から現況表層土１２、盛り土１４、透水ろ過層１６、コート層２０、砕石層３０、砂層４０及び人工芝５０を含んで構成される。以下に説明するとおり、盛り土、透水ろ過層１６は必須ではないが、現況表層土１２の状態に応じて、或いは、透水性を高めるために形成することが望ましい。
【００１６】
本発明の表層土の改良方法は、図２（ａ）に示すように、改良前の現状表層土１２を略平坦に均す表層土均しステップから開始することができる。現状表層土１２は、必要に応じて掘削等して高さ調整することができる。もちろん、現状表層土１２に均し作業が不要であれば、このステップは省略できる。
【００１７】
現状表層土１２を略平坦に均した後、図２（ｂ）に示すように、表層土１２の上に、必要に応じてクレー精製土、自然土などで所定高さ盛り土１４を行なう。また、通水性を高めるために、盛り土１４の上に、必要に応じて砕石や小石などの透水ろ過層１６を形成する。
【００１８】
そして、その上に、図２(ｃ)に示すようにアスファルト系乳剤を散布し、コート層２０を形成する（コート層形成ステップ）。アスファルト系乳剤は、１ｍｍ〜３ｍｍ、望ましくは約１．５ｍｍの厚さとなるように散布する。
【００１９】
アスファルト系乳剤は、温度条件により変化するが、約２０℃において１日〜２日で硬化する。本発明では、アスファルト系乳剤からなるコート層２０に砕石３２を押し沈める必要があるから、アスファルト系乳剤が完全に硬化する前に砕石３２を散布する処理を行なう（図２(ｄ)参照）。アスファルト系乳剤として、ＪＩＳ  Ｋ  ２２０８（２０００）のカチオン乳剤浸透用３号（ＰＫ−３：プライムコート用及びセメント安定処理層養生用、商品名：ソイル・ダステックスＨＤ）を主成分とする乳剤を例示できる。また、施工地の温度等に合わせて、同１号（ＰＫ−１：温暖期浸透用及び表面処理用）や、同２号（ＰＫ−２：寒冷期浸透用及び表面処理用）を最大５０重量％混合して使用することもできる。もちろん、アスファルト系乳剤はこれに限定されるものではない。
【００２０】
コート層２０に散布される砕石３２は、３号（粒径３０ｍｍ〜４０ｍｍ）〜７号（粒径２．５ｍｍ〜５ｍｍ）のものを使用することが望ましい。散布する石を角の尖っている砕石３２とすることで、角の尖っていない砂利に比べて書きする砕石埋設ステップにおいてコート層２０に上手く埋設させることができる利点がある。
【００２１】
砕石３２は、図２(ｄ)に示すようにコート層２０の上に１ｍｍ〜４０ｍｍ、最も望ましくはコート層２０よりも１ｍｍ〜３ｍｍ厚くなるように散布して砕石層３０を形成する。そして、コンバインドローラーなどにより砕石３２に圧力を加える（転圧）。これにより、図２（ｅ）及び図３に示すように、砕石３２の一部は、完全に硬化する前のコート層２０に押し沈められる（砕石埋設ステップ）。このとき、砕石３２の振動などにより、アスファルト系乳剤と砕石３２は完全には密着せず、コート層２０と砕石３２の間には、図４に示すように部分的に隙間３４が形成される。
【００２２】
アスファルト系乳剤は、透水性を具備しないが、上記したコート層２０とコート層２０に埋没した砕石３２の間に形成された隙間３４が、コート層２０を貫通、或いは、複数の隙間３４が繋がることでコート層２０を貫通する。これにより、コート層２０に通水路が形成され、コート層２０が透水性を具備することになる。
【００２３】
なお、アスファルト系乳剤に予め砕石３２を混合して、砕石３２が混入したコート層２０を形成した場合では、アスファルト系乳剤と砕石３２との間に隙間３４が生じず、透水性は改善されない。このため、上記のように、コート層２０の上に砕石３２を散布し、転圧することが好適である。
【００２４】
続いて、図２（ｆ）に示すように、砕石層３０の上に砂を散布し、コンバインドローラーなどにより圧力を加えて略平坦に均し、砂層４０を形成する（砂均しステップ）。砂は、粗粒砂や極粗粒砂（粒径０．５ｍｍ〜２ｍｍ）を採用することが望ましい。砂の一部は、図３及び図４に示すように、コート層２０上の砕石３２間に侵入する。
【００２５】
そして、最後に、図２（ｇ）に示すように、砂層４０の表面に必要に応じて人工芝５０を敷設することで、表層土の改良が完了する（人工芝敷設ステップ）。
【００２６】
コート層２０は、砕石３２を散布、転圧した後、砂層４０や人工芝５０の敷設、或いは、その後の経時により硬化するが、若干の弾力性を具備するため、改良された表層土はクッション性を具備する。
【００２７】
また、図４に示すように、砕石３２の周囲に形成された隙間３４が通水路となって、コート層２０の透水性は確保される。一方、コート層２０により、現況表層土１２等からの水分の浸み出しやシルト成分の浮き上がりを阻止することができる。
【００２８】
本発明では、アスファルト系乳剤からなるコート層２０を具備することで、コート層２０よりも上層の砕石層３０、砂層４０などの不等沈下を防止することができる。
【００２９】
さらに、コート層２０は、ばらけ難いため、長期使用によっても地盤１０に凹凸を生じ難く、人工芝５０が波打ってしまうような不具合を抑えることができる。
【００３０】
上記実施例の説明は、本発明を説明するためのものであって、特許請求の範囲に記載の発明を限定し、或は範囲を減縮する様に解すべきではない。又、本発明の各構成要素は上記実施例に限らず、特許請求の範囲に記載の技術的範囲内で種々の変形が可能であることは勿論である。
【００３１】
たとえば、上記した寸法等は一例であることは理解されるべきである。
【符号の説明】
【００３２】
１０  地盤
１２  表層土
２０  コート層
３０  砕石層
３２  砕石
３４  隙間
４０  砂層
５０  人工芝
【図１】
2019027055.tif 000003
【図２】
2019027055.tif 000004
【図３】
2019027055.tif 000005
【図４】
2019027055.tif 000006